(57)【特許請求の範囲】
【請求項１】
高さ方向中間部に吸振材（８）が設けられていると共に、この吸振材（８）の縦圧縮が所定量に達したときに相互当接可能となる上部及び下部の圧縮制限片（１８，２２）が設けられている床用束基礎であって、
前記圧縮制限片（１８，２２）における上部又は下部の一方が、前記吸振材（８）が中心部に配置されたプレート状に形成され、
同他方が、前記吸振材（８）を同心状に取り囲む平面視円形の周壁（２２ａ）を有したカバー状に形成されていることを特徴とする床用束基礎。
【発明の詳細な説明】
【０００１】
【産業上の利用分野】
本発明は、床用束基礎に関するものである。
【０００２】
【従来の技術】
床用束基礎は、例えば体育館等の床の構築時に用いる短い柱状をしたもので、コンクリート打ち等された床スラブ上に立設して、その上端部で大引及び根太等を介して床パネル又は床板等を支承させるようにする。
この種束基礎として一般的なものは、高さ方向中間部にゴム等の吸振材が設けられ、この吸振材と下端部（床スラブへの固定部等）との間が、軸線方向を上下に向けた高さ調節用ボルトによって連結されて成る（例えば実開昭５７−１２９８３６号公報、実開昭５９−６５１４６号公報等参照）。なお、上記高さ調節ボルトが吸振材と上端部（大引の支承部等）との間を連結すべく設けられたものもある。
【０００３】
【発明が解決しようとする課題】
床に衝撃的な振動が加えられた場合等にあって、吸振材が過激に縦圧縮すると共に大きな横ズレ変形を起こすことがあり、これに伴って上記高さ調節ボルトに傾斜方向の過大荷重が作用し、曲がりや溶接結合部等での折れ等が生じさせることがあった。またこのような場合、吸振材自体にも、内部亀裂等が生じることがあった。
【０００４】
本発明は、上記事情に鑑みてなされたものであって、床に衝撃的な振動が加えられた場合等にも、高さ調節ボルトの曲がりや折れ、及び吸振材の破損等が起こることがないようにした束基礎を提供することを目的とする。
【０００５】
【課題を解決するための手段】
本発明では、上記目的を達成するために、次の技術的手段を講じた。
即ち、本発明は、高さ方向中間部に吸振材が設けられていると共に、この吸振材の縦圧縮が所定量に達したときに相互当接可能となる上部及び下部の圧縮制限片が設けられている床用束基礎であって、
前記圧縮制限片における上部又は下部の一方が、前記吸振材が中心部に配置されたプレート状に形成され、同他方が、前記吸振材を同心状に取り囲む平面視円形の周壁を有したカバー状に形成されていることを特徴としている。
【０００６】
【作用】
床に衝撃的な振動が加えられたとしても、吸振材は、上下の圧縮制限片が相互当接した状態を超えて更に縦圧縮することはない。
また、圧縮制限片の一方が、吸振材が中心部に配置されたプレート状に形成され、同他方が、吸振材を同心状に取り囲む平面視円形の周壁を有したカバー状に形成されているので、両圧縮制限片が互いに当接した場合に横滑りに対抗して大きな摩擦抵抗が生じる。
【０００７】
【実施例】
以下、本発明の実施例を図面に基づき説明する。
図１及び図２は本発明に係る束基礎１を示すものであって、２は床スラブ、３は大引である。図示は省略するが、一般には大引３の上部に根太が交差状に渡され、その上部に床パネル等が載設される。
【０００８】
束基礎１は、下端部に床スラブ２への固定板５を有した支持本体６と、この支持本体６の上部に高さ可変体７及び吸振材８を介して設けられた、大引３等との結合に用いられる支承部材９とを具備して成る。
支持本体６は、円形又は角形のパイプ材より形成されており、その上端部には、外周鍔を有したナット部材１２が嵌入溶着されている。
【０００９】
高さ可変体７は、支持本体６よりも一回り細い円形パイプ材より形成されており、その外周面には上記ナット部材１２と螺合可能なねじ部７ａが刻設されている。従って、支持本体６に対する高さ可変体７の回転度合を変えることで、上記支承部材９の高さ調節が可能となっており、これにより高さ調節手段１４が構成されている。１５は調節状態を固定するロックナットである。
【００１０】
高さ可変体７の上端部には、円形プレート状に形成された圧縮制限片１８が溶着されており、この圧縮制限片１８の上面中心部にはリベット等の固定具１９ａを介して吸振材８が固定されている。
吸振材８は平面視正方形に形成されたやや偏平な直方体状を呈するゴム体よりなり、上下面に金属製の補強プレート８ａ，８ｂが固着されている。下面側の補強８ｂに前記リベット１９ａが固定されるとともに、上面側の補強プレート８ａには取付ボルト１９が立設固定されている。取付ボルト１９は後述のカバー状の圧縮制限片２２と前記支承部材９とを貫通し、その突出端部にナット１９ａを螺合してこれを締め付けることにより、カバー状の圧縮制限片２２と支承部材９とが吸振材８の上面に固定されている。
【００１１】
なお、上記したように高さ可変体７にパイプ材を用いているため、該高さ可変体７と下側の圧縮制限片１８との溶接結合部分（矢符Ｂ参照）は、従来のものにおける高さ調節ボルト（図示略）の相当部位に比べて直径が太くなっている。従って、その分だけ曲げ、折れ、捩じれに対して強くなっている。
吸振材８の上部には、その外周を囲む周壁２２ａを有したカバー状の圧縮制限片２２が被せられている。このカバー状の圧縮制限片２２は有底の短円筒状を呈しており、その開口端が下向きとなるように吸振材８の上部に被せられている。この圧縮制限片２２の周壁２２ａの下端部は、吸振材８が縦方向に非圧縮のときには、プレート状の圧縮制限片１８との間に所定の隙間Ｇを保持するようになっていて、この隙間Ｇは、吸振材８が過大な軸圧縮を受けたときには周壁２２ａの下端が下側の圧縮制限片１８に接当する程度に設定されている。従って、この隙間Ｇの相当分が吸振材８の圧縮許容量となっている。
【００１２】
なお、これら圧縮制限片１８，２２や吸振材８の平面形状は、円形の他、正方形や長方形に形成できる。
支承部材９は、帯板材を折曲してシルクハットを逆に向けたような側面形状に形成したものであって、下部中央の平坦部９ａには上記取付ボルト１９に嵌められる通孔が、また上部両側の平坦部９ｂには大引３との結合に用いられるボルト２５を挿入する通孔が、それぞれ形成されている。
【００１３】
この支承部材９の上部には、大引３の下面部を嵌合状に受ける折曲側縁２６ａを有した大引受具２６が設けられており、大引３との結合時には、該大引３内にボルト２５と螺合するナット板２８が嵌め込まれるようになっている。
なお、支承部材９において２個の上部平坦部９ｂを設け、これらに各別の通孔を形成させることで、２本のボルト２５による大引３との結合ができるようになっているので、結合強度を上げることができる。
【００１４】
上記構成に係る束基礎１では、床（図示略）に対して衝撃的な振動が加えられたとしても、吸振材８はカバー状（上側）の圧縮制限片２２が全体的に下降してプレート状（下側）の圧縮制限片１８と枠状に当接した状態、又は図３に示すようにカバー状圧縮制限片２２の一辺側周壁２２ａがプレート状圧縮制限片１８と当接し、吸振材８がこの当接状態を超えて更に軸圧縮されることはない。
【００１５】
従って、吸振材８が過大に軸圧縮されることによる塑性変形が防止され、ひいては吸振材８の耐久性が向上する。
特に、これらカバー状の圧縮制限片２２の下端ほぼ全域が圧縮制限片１８に当接したような場合には、横滑り作用に対して大きな摩擦抵抗を生じ得る。このため、特に吸振材８が横方向に大きくせん断変形するのが防止され、過大なせん断変形による吸振材８の破損も同時に防止される。また、カバー状の圧縮制限片２２において高剛性が得られ、変形し難いという利点も得られる。
【００１６】
本発明において、図４に示すようにプレート状の圧縮制限片１８の上面におけるカバー状圧縮制限片２２が当接可能な領域（又は全面でもよい）に、同心円状の互いに溝部３０を刻設しておけば、カバー状圧縮制限片２２が当接した場合の横滑りをより一層確実に防止することができる。
また、下側の圧縮制限片１８をカバー状に形成し、上側の圧縮制限片２２をプレート状に形成してもよい。
【００１７】
さらに、図５に示すように、ボルト１９をプレート状の圧縮制限片１８の上面に突設し、このボルト１９に吸振材８を貫通させるようにしてもよい。また、吸振材８は複数枚のゴム板を積層することによって構成してもよい。この場合、ゴム板のそれぞれは、互いに固着したもの又は当初より一体化されたものでもよいが、現場の諸事情に応じて積層枚数を適宜変更できるよう分離状態のままとしておいてもよい。
【００１８】
【発明の効果】
本発明は、上述の構成を具備するものであって、吸振材が所定量縦圧縮した場合に、上下の圧縮制限片が互いに当接するようにしてあるので、床に衝撃的な振動が加えられた場合にも、吸振材が過剰に縦圧縮することはなく、従って、吸振材はもとより、各部における破損を防止できる。
【００１９】
また、一方のプレート状の圧縮制限片の中心部に吸振材が配置されており、他方のカバー状の圧縮制限片にその吸振材を同心状に取り囲む平面視円形の周壁を有しているので、両圧縮制限片が互いに当接した場合に横滑り作用に対して大きな摩擦抵抗を生じ、このため、吸振材及び各部の破損防止がより一層確実なものとなる。
【図面の簡単な説明】
【図１】本発明に係る束基礎を示す一部破砕正面図である。
【図２】図１のＡ−Ａ線断面図である。
【図３】吸振材の動作説明図である。
【図４】プレート状圧縮制限片の変形例を示す平面図である。
【図５】吸振材の取付構造の変形例を示す断面図である。
【符号の説明】
１      束基礎
８      吸振材
１８      圧縮制限片（プレート状をしたもの）
２２      圧縮制限片（カバー状をしたもの）
２２ａ    周壁
【図１】
0003602107.tif 000002
【図２】
0003602107.tif 000003
【図３】
0003602107.tif 000004
【図４】
0003602107.tif 000005
【図５】
0003602107.tif 000006